(57)【要約】【課題】  主に缶飲料の広告用として店頭および自動販売機内等に設置するために、太陽電池の電源で回動する飲料容器程度の大きさの展示装置を提供する。【解決手段】回動体１０には軸支用鉄板１６、１７が設けられ支え台３０には軸支用磁石３３、３４が設けられている。軸支用鉄板１６と軸支用磁石３３および軸支用鉄板１７と軸支用磁石３４は磁力で互いに引き合うので、支え台３０は回動体１０を上方向に引っ張っている。両端が回動体１０の上部と支え台３０の下部に結合している釣支糸５０は上記引き合う力に対抗している。回動体１０と支え台３０は釣支糸５０で繋がっているので、回動体１０は回動自由になっている。【選択図】  図１
2010201097.tif 000002
【特許請求の範囲】
【請求項１】
回動体と、この回動体を支える支え台と、一方がこの回動体に設置され他方がこの支え台に設置されたお互いを吸引する一対の吸引力発生部材と、一端がこの回動体に繋がれ他端がこの支え台に繋がれた糸状部材と、太陽電池と、電磁コイルと、この電磁コイルと相互作用をする磁気を帯びた部材と、電子回路を備えたことを特徴とする展示装置。
【請求項２】
前記支え台に設置された吸引力発生部材の下方に前記回動体に設置された吸引力発生部材が位置していることを特徴とする請求項１記載の展示装置。
【請求項３】
前記糸状部材の一端は回動体の上部に繋がれており、他端は支え台の下部に繋がれていることを特徴とする請求項１および請求項２記載の展示装置。
【請求項４】
前期一対の吸引力発生部材が展示装置の上部および下部の２箇所に設置されていることを特徴とする請求項１ないし請求項３記載の展示装置。
【請求項５】
前期一対の吸引力発生部材は前記回動体の回動軸対称の円環形状であることを特徴とする請求項１ないし請求項４記載の展示装置。
【請求項６】
前期一対の吸引力発生部材は一方が磁石であり、他方が磁石に引きつけられる部材であることを特徴とする請求項１ないし請求項５記載の展示装置。
【請求項７】
前記一対の吸引力発生部材は異なる磁極が向かい合って設置された磁石であることを特徴とする請求項１ないし請求項５記載の展示装置。
【請求項８】
前記電磁コイルは前記回動体に係止され、前記電磁コイルと相互作用する磁気を帯びた部材は前記支え台に係止されていることを特徴とする請求項１ないし請求項７記載の展示装置。
【請求項９】
前記電磁コイルは前記支え台に係止され、前記電磁コイルと相互作用する磁気を帯びた部材は前記回動体に係止されていることを特徴とする請求項１ないし請求項７記載の展示装置。
【発明の詳細な説明】
【技術分野】
【０００１】
本発明は、広告用として店頭および自動販売機内等に置いて使用する太陽電池の電源で回動する展示装置に関するものである。
【背景技術】
【０００２】
従来、下記の先行技術文献に示した広告用として店頭等に置く揺動式展示装置があった。
【先行技術文献】
【特許文献】
【０００３】
【特許文献１】特許出願公告昭４８−１４００４
【特許文献２】特開平７−７２８１２
【特許文献３】登録実用新案第３０４３７９７号公報
【発明の概要】
【発明が解決しようとする課題】
【０００４】
この発明は、主に缶飲料の広告用として店頭および自動販売機内等に設置するために、太陽電池の電源で回動する飲料容器程度の大きさの展示装置を提供することである。
【課題を解決するための手段】
【０００５】
本発明は、回動体と、回動体を支える支え台と、一方がこの回動体に設置され他方がこの支え台に設置されたお互いを吸引する一対の吸引力発生部材と、一端がこの回動体に繋がれ他端がこの支え台に繋がれた糸状部材と、太陽電池と、電磁コイルと、この電磁コイルと相互作用をする磁気を帯びた部材と、電子回路を備えたことを特徴とする。
【０００６】
また、本発明は、前記支え台に設置された吸引力発生部材の下方に前記回動体に設置された吸引力発生部材が位置していることを特徴とする。
【０００７】
前記糸状部材の一端は回動体の上部に繋がれており、他端は支え台の下部に繋がれていることを特徴とする。
【０００８】
前期一対の吸引力発生部材が展示装置の上部および下部の２箇所に設置されていることを特徴とする。
【０００９】
前期一対の吸引力発生部材は前記回動体の回動軸対称の円環形状であることを特徴とする。
【００１０】
前期一対の吸引力発生部材は一方が磁石であり、他方が磁石に引きつけられる部材であることを特徴とする。
【００１１】
前記一対の吸引力発生部材は異なる磁極が向かい合って設置された磁石であることを特徴とする。
【００１２】
前記電磁コイルは前記回動体に係止され、前記電磁コイルと相互作用する磁気を帯びた部材は前記支え台に係止されていることを特徴とする。
【００１３】
前記電磁コイルは前記支え台に係止され、前記電磁コイルと相互作用する磁気を帯びた部材は前記回動体に係止されていることを特徴とする。
【発明の効果】
【００１４】
展示装置は飲料容器程度の大きさで、太陽電池で回動するので、展示装置を店頭および自動販売機内等に置くことができる。
【図面の簡単な説明】
【００１５】
【図１】展示装置の構造を説明した斜視図である。（実施例１）
【図２】図１のＥ−Ｅ断面図である。（実施例１）
【図３】（ａ）は釣支糸５０の構造を説明した斜視図であり、（ｂ）は挟持バネ６０、６１の構造を説明した斜視図であり、（ｃ）は回動体１０が停止している場合のコイル１９と磁石４１、４２、４３、４４の位置関係を説明した斜視図である。（実施例１）
【図４】展示装置の電子回路を説明した図である。（実施例１）
【図５】展示装置の磁気回路の動作を説明した図である。（実施例１）
【図６】展示装置の構造を説明した図である。（実施例２）
【図７】展示装置の構造を説明した図である。（実施例３）
【発明を実施するための形態】
【００１６】
主に缶飲料の広告用として自動販売機内に設置するために、飲料容器程度の大きさの太陽電池の電源で回動する展示装置を実現した。
【実施例１】
【００１７】
図１は本発明の展示装置の一実施例の構造を説明した斜視図であり、図２は図１のＥ−Ｅ断面図であり、図３（ａ）はこの実施例で使われている釣支糸５０の斜視図であり、図３（ｂ）は係止ピン６０、６１の斜視図であり、図３（ｃ）はコイル１９周辺の斜視図である。図１、図２および図３（ｃ）は静止状態の図である。展示装置１は円筒形の形状の回動体１０、回動体１０を支える支え台３０および回動体１０を支え台３０から吊った状態で支える釣支糸５０で構成されている。
【００１８】
回動体１０の外形は飲料容器の形状とほぼ同じ大きさに設けられている。回動体１０は回動体１０の中心軸である回動軸Ａを中心にして回動する。回動体１０の図中上端には上面１１が設けられ、下端には下面１３が設けられ、上面１１の下方には鉄板支持面１２が設けられている。上面１１、鉄板支持面１２および下面１３は、互いに平行で回動軸Ａに垂直な面である。上面１１、鉄板支持面１２および下面１３はそれぞれ回動体１０と一体となっている。上面１１の表面には回動体１０を回動させる電源となる太陽電池１４が２枚貼りつけて設けられている。この上面１１の中心部分には釣支糸５０を貫通させる円形の貫通穴が設けられている。この貫通穴には挟持バネ６０が上面１１を挟持して設けられている。鉄板支持面１２の中心部分には円形の貫通穴が設けられている。この貫通穴には軸支用鉄板１６が嵌合して設けられている。軸支用鉄板１６は円盤形状で、その中心部分に円形の貫通穴が設けられている。下面１３の中心部分には円形の貫通穴が設けられている。この貫通穴には軸支用鉄板１７が嵌合して設けられている。軸支用鉄板１７は円盤形状で、その中心部分に円形の貫通穴が設けられている。下面１３の径方向外側には飲料見本を係止する係止溝１８が回転体１０と一体となって周方向に等間隔に４個所設けられている。鉄板支持面１２と下面１３の中間あたりにはコイル１９が回動体１０の内側面に設けられた係止溝に嵌合して設けられている。このコイル１９は円盤形状で中心部分に貫通穴が設けられている。このコイル１９に駆動電力を供給する電子回路７０が回動体１０の内側面に設けられている。太陽電池１４と電子回路７０は太陽電池配線プラス２１、太陽電池配線マイナス２２によって電気的につながっている。太陽電池配線プラス２１、太陽電池配線マイナス２２は回動体１０の内側面に一体となって設けられた複数の配線係止部材２５によって回転体１０に係止されている。コイル１９と電子回路７０はコイル配線プラス２３、コイル配線マイナス２４によって電気的につながっている。コイル配線プラス２３、コイル配線マイナス２４は回動体１９の内側面に一体となって設けられた配線係止部材２５によって回転体１０に係止されている。
【００１９】
支え台３０は台座３１および支持支柱３２で構成されている。台座３１は円盤形状をしており、この円盤の中心部分に貫通穴が設けられている。支持支柱３２はパイプ形状をしている。台座３１と支持支柱３２はその中心線が一致した状態で一体となって設けられている。この中心線は回動軸Ａと一致している。台座３１の貫通穴と支持支柱３２内の空間には釣支糸５０が貫通している。支持支柱３２の図中上端は軸支用磁石３３が支持支柱３２に嵌合して設けられている。軸支用磁石３３は図中上下面に磁極がある円環形状の磁石で、この円環の中心線と支持支柱３２の中心線は一致している。軸支用磁石３３は軸支用鉄板１６の上方に軸方向に２ｍｍ程度離れて設けられている。軸支用磁石３３と軸支用鉄板１６は吸引力が働いているので、軸支用磁石３３は回動体１０を上向きに引っ張っている。支持支柱３２の下端付近には軸支用磁石３４が支持支柱３２に嵌合して設けられている。軸支用磁石３４は図中上下面に磁極がある円環状の磁石で、この円環の中心線と支持支柱３２の中心線は一致している。軸支用磁石３４は軸支用鉄板１７の上方に軸方向に２ｍｍ程度離れて設けられている。軸支用磁石３４と軸支用鉄板１７には吸引力が働いているので、軸支用磁石３４は回動体１０を上向きに引っ張っている。
【００２０】
支持支柱３２の軸方向の中間あたりには径方向へ二組の突出部３７、３８が支持支柱３２と一体となって設けられている。この突出部３７の下面には架設鉄板３９が係止されている。突出部３８の上面には架設鉄板４０が係止されている。架設鉄板３９、４０は長方形状をしておりその面は回動軸Ａに垂直になっており、架設鉄板３９を回動軸Ａにそって移動すると架設鉄板４０に一致する位置にある。架設鉄板３９の下面にそれぞれ円柱形状の磁石４２および図示されていない磁石４１が軸方向を図中の上下にして係止されている。図示されていない磁石４１の上面は架設鉄板３９の下面に接している。磁石４１は上面がＳ極で下面がＮ極になっている。磁石４２の上面は架設鉄板３９の下面に接している。磁石４２は上面がＮ極で下面がＳ極になっている。架設鉄板４０の上面の両端部にそれぞれ円柱形状の磁石４３、４４が軸方向を図中上下にして係止されている。磁石４３の下面は架設鉄板４０の上面に接している。磁石４３は上面がＳ極で下面がＮ極になっている。磁石４４の下面は架設鉄板４０の上面に接している。磁石４４は上面がＮ極であり下面がＳ極になっている。磁石４１と磁石４３は中心線が一致する位置関係で、磁石４１のＮ極と磁石４３のＳ極は向かい合っている。磁石４２と磁石４４は中心線が一致する位置関係で、磁石４２のＳ極と磁石４４のＮ極は向かい合っている。磁石４１、４２、４３、４４の形状は同じである。磁石４１、４２、４３、４４とコイル１９は回動体１０が回動している場合は磁石４１、４３の中心線および磁石４２、４４の中心線はコイル１９の中心線と一致する場合がある位置にあり、回動体１０が停止している場合は磁石４１、４３の中心線と磁石４２、４４の中心線の中間の位置にコイル１９の中心線がある。
【００２１】
台座３１に安定重り３５が嵌合して設けられている。安定重り３５は円盤形状であり、その中心部分に貫通穴が設けられている。この貫通穴には挟持バネ６１が安定重り３５を挟持して設けられている。釣支糸５０は一端が挟持バネ６０で係止されており、他端が挟持バネ６１で係止されている。釣支糸５０は吸引力が働いている軸支用磁石３３および軸支用鉄板１６並びに軸支用磁石３４および軸支用鉄板１７が一定の距離を保つように設けられている。釣支糸５０は回動体１０が回動した場合にねじれるようになっている。回動体１０は軸支用磁石３３および軸支用鉄板１６並びに軸支用磁石３４および軸支用鉄板１７間に働く磁力と釣支糸５０によって支え台３０と回動自在になっている。
【００２２】
釣支糸５０は図３（ａ）に示すように、張架部５１、支え部５２、５４、位置決め部５３、５５および設置用糸５６で構成されている。張架部５１の図中上端は支え部５２および位置決め部５３と一体となって設けられている。張架部５１の図中下端は支え部５４および位置決め部５５と一体となって設けられている。支え部５２に一体となって設けられた設置用糸５６は釣支糸５０を展示装置１に設置する場合に使用するためのものである。この設置用糸５６は釣支糸５０を展示装置１に設置した後に支え部５２との接続部分で切断して廃棄する。挟持バネ６０、６１は図３（ｂ）に示すように、挟持部６２、支え溝６３および位置決め溝６４が設けられている。挟持部６２は挟持バネ６０、６１を回動体１０および台座３１に挟持して設置するために設けられている。支え溝６３は釣支糸５０の支え部５２、５４と嵌合する形状になっている。位置決め溝６４は釣支糸５０の位置決め部５３、５５と嵌合する形状になっている。挟持バネ６０、６１は回転体１０に落下等の衝撃が加わった場合に釣支糸５０を保護するために設けられている。回動体１０が停止している場合のコイル１９と磁石４１、４２、４３、４４は図３（ｃ）に示すような位置関係になっている。磁石４１、４３の中心線Ｂ、磁石４２、４４の中心線Ｃおよびコイル１９の中心線Ｄは平行になっている。コイル１９の中心線Ｄは磁石４１、４３の中心線Ｂおよび磁石４２、４４の中心線Ｃから同じ距離離れた位置にある。コイル１９の中心線Ｄは回動体１０が回動している場合に磁石４１、４３および磁石４２、４４の中心線Ｂ、Ｃと一致する位置にある。
【００２３】
次に、上記回動体１０に設けられた電子回路７０の動作を図４を用いて説明する。図４に示した電子回路７０は太陽電池１４で発電した電気をコイル１９に供給するための回路である。太陽電池１４が発電した電気は充電コンデンサ７１に蓄えられる。充電コンデンサ７１は電気が蓄えられるにつれて電圧が上昇する。駆動時期決定トランジスタ７４は充電コンデンサ７１の電圧が一定値以下の場合はコレクタ・エミッタ間に電流が流れない（以下ＯＦＦ状態という）が充電コンデンサ７１の電圧が一定値を超えた場合にコレクタ・エミッタ間に電流が流れる（以下ＯＮ状態という）回路なので、充電コンデンサ７１に充電されてその電圧が一定値を超えると駆動時期決定トランジスタ７４がＯＮ状態になる。駆動時期決定トランジスタ７４がＯＮ状態になるとこのコレクタ電圧が下がるので、充電コンデンサ７１から電力供給時間決定コンデンサ７６と電力供給トランジスタ７７のエミッタ・ベース間に電流が流れる。電力供給時間決定コンデンサ７６に電流が流れると充電されてこのコンデンサの電圧が上昇する。電力供給トランジスタ７７のエミッタ・ベース間に電流が流れるとエミッタ・コレクタ間に電流が流れ（以下ＯＮ状態という）充電コンデンサ７１に蓄えられている電気がコイル１９に流れる。充電コンデンサ７１に蓄えられている電気が減ると充電コンデンサ７１の電圧が一定値未満になり駆動時期決定トランジスタ７４がＯＦＦ状態になる。駆動時期決定トランジスタ７４がＯＦＦ状態になると電力供給時間決定コンデンサ７６が電力供給トランジスタ７７のエミッタ・ベース間に放電を行い電力供給トランジスタ７７をＯＮ状態に保ち充電コンデンサ７１の電気をコイル１９に流す。よって駆動時期決定トランジスタ７４がＯＦＦ状態になってもしばらくは電力供給トランジスタ７７がＯＮ状態になっているので、充電コンデンサ７１の電気をコイル１９に流すことができる。電力供給時間決定コンデンサ７６が放電して電圧が下がり電力供給トランジスタ７７のエミッタ・ベース間に電流が流れなくなると電力供給トランジスタ７７のコレクタ・エミッタ間に電流が流れなくなる（以下ＯＦＦ状態という）ので、充電コンデンサ７１の電気はコイル１９へ流れなくなる。
【００２４】
結合コンデンサ７８はコイル１９が発電した電圧を駆動時期決定トランジスタのベースに供給するために設けられている。ノイズ除去コンデンサ８１はコイル１９等から発生する不要な細かな電圧変化を除去するために設けられている。
【００２５】
次に、コイル１９に電気が流れた場合のコイル１９の動作および回動体１０が回動中の場合にコイル１９の電圧の発生を図５を用いて説明する。図５（ａ）および図５（ｂ）はコイル１９および磁石４１、４２、４３、４４を図２のＦ方向から見た状態を略した図である。図５（ａ）は回動体１０が停止した状態を表した図である。図５（ａ）を用いて回動体１０が停止している場合にコイル１９に通電した場合の動作を説明する。この状態で図４の電力供給トランジスタ７７がＯＮ状態になるとコイル配線２３、２４に電流が流れるので、コイル１９に電流が流れる。コイル１９に電流が流れるとコイル１９の図中上端部がＳ極になり、下端がＮ極になるので、この上端のＳ極が磁石４１のＮ極に引きつけられ、磁石４２のＳ極に反発し、この下端のＮ極が磁石４３のＳ極に引きつけられ、磁石４４のＮ極に反発するので、コイル１９には図中左向きの力が働いて回動体１０が回転する。図５（ｂ）はコイル１９が図中左方向に移動している状態であって、コイル１９が磁石４１、４３および磁石４２、４４の中間にいる瞬間を表した図である。図５（ｂ）を用いて回動体１０が回動中にコイル１９に発生する電圧について説明する。この位置からコイル１９が左方向に移動すると磁石４１、４３の磁界を打ち消し磁石４２、４４の磁界を強める磁界がコイル１９に発生するので、図中上端部がＮ極になり下端がＳ極になるので、コイル配線プラス２３にプラスの電圧が発生する。ここで発生した電圧は図４の抵抗７９および結合コンデンサ７８を介して駆動時期決定トランジスタ７４のベースに加算される。
【００２６】
次に、この展示装置１の動作を図１ないし図５を用いて説明する。初期状態では回動体１０は停止している。太陽電池１４に光が当たると図４に示した充電コンデンサ７１が充電されこのコンデンサの電圧が上昇する。充電コンデンサ７１の電圧が上昇して電圧が一定値を超えると駆動時期決定トランジスタ７４がＯＮ状態となる。駆動時期決定トランジスタ７４がＯＮ状態になると電力供給トランジスタ７７がＯＮ状態になり充電コンデンサ７１に充電されている電気がコイル１９に流れる。充電コンデンサ７１が放電するとその電圧が下がるので、駆動時期決定トランジスタ７４および電力供給トランジスタ７７がＯＦＦ状態に戻りコイル１９に電気が流れなくなる。コイル１９へ電流が流れるのは一瞬の時間である。コイル１９に電流が流れると回動体１０は図１の上方から見て時計方向に回転する。釣支糸５０は一端が挟持バネ６０を介して回動体１０に軸支されており、他端が挟持バネ６１を介して支え台３０に軸支されているので、回動体１０の回転によりねじれが発生する。回動体１０の回転は釣支糸５０をねじった状態で停止する。回動体１０の回転が停止すると釣支糸５０のねじれが戻るために反時計方向に回転する。回動体１０は軸支用磁石３３および軸支用鉄板１６並びに軸支用磁石３４および軸支用鉄板１７間の吸引力と釣支糸５０で支え台３０に回動可能に支持されているので、回動時の抵抗が小さいので、時計方向の回転および反時計方向の回転を何度か繰り返すことができる。太陽電池１４は充電コンデンサ７１に充電を行っているので、回動体１０の回動中このコンデンサの電圧が上昇する。回動している回動体１０が図５（ｂ）の位置になるとコイル１９が発電するので、この電圧が駆動時期決定トランジスタ７４のベースに加えられるので、停止状態に比べて充電コンデンサ７１が低い電圧で駆動時期決定トランジスタ７４がＯＮ状態になる。つまり、図５（ｂ）の状態でコイル１９に電流が流れるので、回動体１０は図１の上部から見て時計方向の力が働き回動体１０の回動速度が増加する。展示装置１はこれらの動作を繰り返して回動が持続する。
【実施例２】
【００２７】
次に、実施例２の構造を図６を用いて説明する。実施例２では太陽電池１１４、コイル１１９および電子回路１７０が支え台１３０に設置され、磁石１４１、１４２、１４３、１４４が回動体１１０に設置されている点が実施例１と異なっている。回動体１１０の回動軸Ａの方向の中間あたりに平面形状の突出部１３７、１３８が回動体１１０と一体となって設けられている。突出部１３７は回動軸Ａにそって平行に移動すると突出部１３８と一致する形状である。突出部１３７の下面は回動軸Ａに垂直に設けられている。突出部１３７の下面には長方形状の架設鉄板１３９が係止されている。架設鉄板１３９は長方形状でその両面は回動軸Ａに垂直になっている。架設鉄板１３９の下面には磁石１４２と図示しない磁石１４１が係止されている。磁石１４１、１４２は円柱形状である。架設鉄板１３９の下面に接する図示しない磁石１４１の上面はＳ極で下面はＮ極になっている。架設鉄板１３９の下面に接する磁石１４２の上面はＮ極で下面はＳ極になっている。突出部１３８の上面には長方形状の架設鉄板１４０が係止されている。架設鉄板１４０は長方形状でその両面は回動軸Ａに垂直になっている。架設鉄板１４０の上面には磁石１４３と磁石１４４が係止されている。磁石１４３、１４４は円柱形状である。架設鉄板１４０の上面に接する磁石１４３の下面はＮ極で上面はＳ極になっている。架設鉄板１４０の上面に接する磁石１４４の下面はＳ極で上面はＮ極になっている。支持支柱１３２の上端部には太陽電池１１４が係止されている。回動体１１０の上面１１２はこの面の下方に太陽電池１１４が設置されているので、光を通すために透明になっている。支持支柱１３２の軸線方向中間あたりにはコイル１１９が支持支柱１３２に設けられた係止溝に嵌合して設けられている。このコイル１１９の中心線は回動軸Ａと平行になっている。このコイル１１９は円盤形状で中心部分に貫通穴が設けられている。このコイル１１９に駆動電力を供給する電子回路７０が支持支柱１３２の下端付近に設置されている。
【実施例３】
【００２８】
次に、実施例３の構造を図７を用いて説明する。回動体２１０の回動軸Ａの方向の中間あたりの内面にはコイル２１９が設けられている。コイル２１９は回動軸Ａの方向に長い楕円形状をしており長径方向が回動軸Ａの方向と一致して設置されている。コイル２１９の短径方向は回動体２１０の内周に一致するよう弯曲している。支持支柱２３２には突出部２３７が一体となって設けられている。突出部２３７の先端部には架設鉄板２３９が設けられている。架設鉄板２３９は回動軸Ａの方向に長い長方形で、短辺の中心でくの字状に折れ曲がっている。この折れ曲がったくの字の山の部分を結んだ線は回動軸Ａと平行になっている。架設鉄板２３９は一方の面が突出部２３７と接して設けられており、他方の面は磁石２４１、２４２と接して設けられている。磁石２４１、２４２は回動軸Ａの方向に長い長方形状である。磁石２４１、２４２は回動軸Ａを中心に磁石２４１を回動させると磁石２４２と一致する位置関係にある。磁石２４１、２４２は回動軸Ａと架設鉄板２３９のくの字の山の線から成る面で対称の位置にある。磁石２４１は架設鉄板２３９と接している面がＳ極であり、反対面がＮ極になっている。磁石２４２は架設鉄板２３９と接している面がＮ極であり、反対面がＳ極になっている。この図は回動体２１０が停止した状態を示している。この状態で、回動体２１０の回動軸Ａ、架設鉄板２３９の折れ曲がったくの字の山の部分を結んだ線およびコイル２１９の長径方向の中心線は同じ平面になる。磁石２４１、２４２の短辺方向の中心線とコイル２１９の短径方向の中心線から成る面は平面で回動体２１０の回動軸に垂直になっている。
【００２９】
これらの実施例では、磁石に引きつけされる部材である軸支用鉄板１６、１７を回動体１０に設置し磁石である軸支用磁石３３、３４を支え台３０に設置して回動体１０を支え台３０に吸引しているが、磁石に引きつけられる部材を支え台３０に設置し磁石を回動体１０に設置してもよい。また。向かい合う面が異極ならば磁石は引力となるので、回動体１０および支え台３０ともに磁石を設置してもよい。また、これらの実施例を、置き時計の回動式振り子に用いてもよい。
【産業上の利用可能性】
【００３０】
太陽電池で回動する展示装置を店頭および自動販売機内等に置いて利用する。
【符号の説明】
【００３１】
１  展示装置
１０  回動体
３０  支え台
５０  釣支糸
６０、６１  挟持バネ
７０  電子回路
Ａ  回動軸
【図１】
2010201097.tif 000003
【図２】
2010201097.tif 000004
【図３】
2010201097.tif 000005
【図４】
2010201097.tif 000006
【図５】
2010201097.tif 000007
【図６】
2010201097.tif 000008
【図７】
2010201097.tif 000009